(57)【要約】【課題】  蓋体のロック構造において、使い勝手を向上させる。【解決手段】  アッパーケース３の開口部４を閉塞する蓋体５の被係合片１５がアッパーケース３の係合突起８に係合することにより、蓋体５の矢印Ｂ方向への移動が規制される。蓋体５の係合片１７がロアーケース２の係合片２５の爪部２６に係合することにより、蓋体５の上方への移動が規制される。蓋体５を傾斜させた状態で、被係合片１５を係合突起８に係合させると、爪部２５の傾斜面２７と係合片１７の傾斜面１８とが当接する。蓋体５を下方に押圧すると、互いの傾斜面１７，１８のカム作用により、係合片２５が弾性変形し、係合片１７が係合片２５の爪部２６に係合する。【選択図】  図５
2012059990.tif 000002
【特許請求の範囲】
【請求項１】
開口部ならびに第１および第２の係合部が設けられた筺体と、
一方向へ移動させることにより前記第１および第２の係合部に係合する第１および第２の被係合部を有し前記開口部を閉塞する蓋体とを備え、
前記第１の被係合部が前記第１の係合部に係合することにより蓋体の前記一方向と反対方向への移動が規制され、前記第２の被係合部が前記第２の係合部に係合することにより蓋体の前記一方向と直交する方向への移動が規制される蓋体のロック構造であって、
前記第２の係合部を弾性変形可能に形成するとともに、この第２の係合部と前記第２の被係合部とに、蓋体を前記一方向に対して傾斜させた状態で前記第１の係合部に前記第１の被係合部を係合させることにより、互いに当接する傾斜面を設け、これら傾斜面のカム作用により弾性変形する前記第２の係合部に前記第２の被係合部が係合することを特徴とする蓋体のロック構造。
【請求項２】
前記第２の係合部の弾性変形量を許容範囲内で規制するストッパを備えたことを特徴とする請求項１記載の蓋体のロック構造。
【請求項３】
前記蓋体の幅方向の両端に係入片を設け、前記筺体に、前記第１および第２の係合部に第１および第２の被係合部が係合することにより前記係入片が係入する係入穴を設けたことを特徴とする請求項１または２記載の蓋体のロック構造。
【発明の詳細な説明】
【技術分野】
【０００１】
本発明は、乾電池等が収容される乾電池収容部の開口部を蓋体で閉塞する際に、蓋体をロック状態に保持する蓋体のロック構造に関するものである。
【背景技術】
【０００２】
従来の蓋体のロック構造としては特許文献１に開示されたものがある。これを図６を用いて説明する。同図において、筺体１０１には、乾電池やアクセサリー等が収容される収容部１０２が設けられており、この収容部１０２の開口部１０３は蓋体１０５によって閉塞される。蓋体１０５は、弾性係合片１０７の掛け止め部１０７ａを筺体１０１の凸部１０６に係合させることにより矢印Ａ−Ｂ方向への移動が規制され、係止片１０９を筺体１０１の凹部１０８に係入されることにより矢印Ａ−Ｂ方向と直交する方向への移動が規制された状態で開口部１０３を閉塞する。
【先行技術文献】
【特許文献】
【０００３】
【特許文献１】特開２００３−１９８１５８号公報（段落〔０００２〕、図７）
【発明の概要】
【発明が解決しようとする課題】
【０００４】
上述したような従来のロック構造においては、蓋体１０５を矢印Ａ方向へスライドさせることにより開口部１０３に取り付けるようにしているが、矢印Ａ方向とわずかでも傾けた状態では、係止片１０９が凹部１０８内に係入しないため、蓋体１０５を開口部１０３に取り付けることができないというように使い勝手が悪いという問題があった。
【０００５】
本発明は上記した従来の問題に鑑みなされたものであり、その目的とするところは、使い勝手を向上させた蓋体のロック構造を提供することにある。
【課題を解決するための手段】
【０００６】
この目的を達成するために、本発明は、開口部ならびに第１および第２の係合部が設けられた筺体と、一方向へ移動させることにより前記第１および第２の係合部に係合する第１および第２の被係合部を有し前記開口部を閉塞する蓋体とを備え、前記第１の被係合部が前記第１の係合部に係合することにより蓋体の前記一方向と反対方向への移動が規制され、前記第２の被係合部が前記第２の係合部に係合することにより蓋体の前記一方向と直交する方向への移動が規制される蓋体のロック構造であって、前記第２の係合部を弾性変形可能に形成するとともに、この第２の係合部と前記第２の被係合部とに、蓋体を前記一方向に対して傾斜させた状態で前記第１の係合部に前記第１の被係合部を係合させることにより、互いに当接する傾斜面を設け、これら傾斜面のカム作用により弾性変形する前記第２の係合部に前記第２の被係合部が係合するものである。
【０００７】
本発明は、前記発明において、前記第２の係合部の弾性変形量を許容範囲内で規制するストッパを備えたものである。
【０００８】
本発明は、前記発明のいずれか一つの発明において、前記蓋体の幅方向の両端に係入片を設け、前記筺体に、前記第１および第２の係合部に第１および第２の被係合部が係合することにより前記係入片が係入する係入穴を設けたものである。
【発明の効果】
【０００９】
本発明によれば、蓋体の移動方向の角度を変えても、蓋体を筺体の開口部に取り付けることができるため使い勝手が向上する。
【００１０】
前記発明のうちの一つの発明によれば、第２の係合部が変形や破断するようなことがない。
【００１１】
前記発明のうちの一つの発明によれば、蓋体は幅方向の位置決めがなされた上で、幅方向の移動が規制された状態で筺体にロックされる。
【図面の簡単な説明】
【００１２】
【図１】本発明に係る蓋体のロック構造を採用した筺体の平面図である。
【図２】同図（Ａ）は本発明に係る蓋体のロック構造を採用した筺体において、蓋体を取り外した状態を示す斜視図、同図（Ｂ）は蓋体を裏面側から視た斜視図である。
【図３】図１におけるIII-III 線断面図である。
【図４】図１におけるIV-IV 線断面図で、同図（Ａ）は蓋体を取り付ける直前の状態を示し、同図（Ｂ）は蓋体を取り付けた状態を示す。
【図５】図１におけるIV-IV 線断面図で、蓋体を水平方向から角度αだけ傾けて取り付ける状態示す。
【図６】従来の蓋体のロック構造を示す要部の断面図である。
【発明を実施するための形態】
【００１３】
以下、本発明の実施の形態を図１ないし図５に基づいて説明する。
【００１４】
図２に示すように、全体を符号１で示す電子機器の筺体は、上方が開口されたロアーケース２と、このロアーケース２よりも矢印Ａ−Ｂ方向の寸法が短く形成され下方および矢印Ｂ方向が開口されたアッパーケース３とを備え、両ケース２，３の互いの開口端を突き合わせるようにして、両ケース２，３が後述する保護カバー２０を介して結合されることにより形成されている。このように形成された筺体１は、ロアーケース２とアッパーケース３との間に開口部４が形成され、この開口部４は蓋体５によって閉塞される。すなわち、ロアーケース２とアッパーケース３および蓋体５とによって、筺体１は密閉状態となる。
【００１５】
アッパーケース３の上板６の裏面であって、開口部４側の中央部には、図４に示すように後述する被弾性係合片１５が係合する係合突起８が突設されている。
【００１６】
蓋体５は、図２（Ａ）に示すように上板１１と、両側板１２，１３と、前板１４とによって、下方および矢印Ａ方向が開口された箱状に形成されており、上板１１の矢印Ａ方向側の端部の中央には、先端部に係合突起８に係合される爪部１６が形成された第１の被係合部としての弾性変形可能な被係合片１５が矢印Ａ方向に向かって突設されている。
【００１７】
また、蓋体５の側板１２と前板１４とのそれぞれの下端および側板１３と前板１４とのそれぞれの下端には、同図（Ｂ）に示すように互いに跨るように形成された矩形状の第２の被係合部としての被係合片１７，１７が設けられている。この被係合片１７の先端には、図４に示すように後述する係合片２５の傾斜面２７に当接する傾斜面１８が形成されている。さらに、蓋体５の両側板１２，１３の矢印Ａ方向の端部には、後述する係入穴３０，３０に係入される係入片１９，１９が、互いに対向するように矢印Ａ方向に突設されている。
【００１８】
図２（Ａ）において、２０はボルトによってロアーケース２の底部に固定された保護カバーであって、ロアーケース２に取り付けられたプリント基板に実装される電子部品等（いずれも図示せず）を覆うものである。この保護カバー２０とロアーケース２との間には、乾電池が収容される乾電池収容部２２が形成されている。
【００１９】
ロアーケース２の底部の矢印Ｂ方向側の両端部には、第２の係合部としての弾性変形可能な係合片２５，２５が立設されており、この係合片２５の上端部には、上部に傾斜面２７を有する上記した被係合片１７と係合する爪部２６が設けられている。２９，２９は保護カバー２０に一体に立設されたストッパであって、図４に示すように、弾性係合片２５，２５と矢印Ａ方向側にわずかの間隔を隔てて設けられている。
【００２０】
アッパーケース３の両側部７，７の矢印Ｂ方向の端部と、保護カバー２０の両側部２１，２１との間には、図３に示すように上記した係入片１９，１９が嵌入される係入穴３０，３０が形成されている。
【００２１】
次に、図２、図４、図５を用いて、このように構成された蓋体のロック構造において、蓋体５によって開口部４を閉塞する動作について説明する。図２において、ロアーケース２の開口部４に対応した上端面に蓋体５の下端面を突き合わせるようにして、図４に示すように蓋体５を矢印Ａ方向に向かって水平方向にスライドさせる。蓋体５の被係合片１５の爪部１６が係合突起８に当接すると、同図（Ｂ）に示すように被係合片１５が弾性変形して爪部１６が係合突起８に係合し、蓋体５は矢印Ａ方向と反対のＢ方向への移動が規制される。
【００２２】
同時に、蓋体５の被係合片１７が係合片２５の爪部２６に係合するので、蓋体５は矢印Ａ−Ｂ方向と直交する方向、すなわち上方への移動が規制され、蓋体５によって開口部４が閉塞される。このとき、蓋体５の係入片１９が係入穴３０に係入されることにより、蓋体５は幅方向の位置決めがなされた上で、幅方向の移動が規制された状態で筺体１にロックされる。
【００２３】
ここで、図５に示すように、蓋体５が矢印Ａ方向に向かって水平方向ではなく、矢印Ａ方向から角度αだけ傾斜した状態でスライドされた場合は、被係合片１５が弾性変形しながら爪部１６が係合突起８に係合したとき、被係合片１７の傾斜面１８が係合片２５の傾斜面２７に当接する。したがって、次に、爪部１６が係合突起８に係合した状態で蓋体５を図中下方に押圧することにより、互いの傾斜面１８，２７のカム作用により係合片２５が矢印Ａ方向に弾性変形するため、図４（Ｂ）に示すように、被係合片１７が係合片２５の爪部２６に係合し、蓋体５によって開口部４が閉塞される。
【００２４】
係合片２５が矢印Ａ方向に弾性変形するとき、係合片２５の弾性変形量が許容量を超えないように弾性係合片２５を支承するストッパ２９が設けられていることにより、弾性係合片２５の変形や破断を防止することができる。
【００２５】
このように、蓋体５を矢印Ａ方向に向かって移動させるだけではなく、矢印Ａ方向に対して傾斜させた状態で移動させても開口部４を閉塞することができる。このため、ロアーケース２を家屋の壁等に対接させた状態で筺体１が取り付けられていて、スペース的に蓋体５を矢印Ａ方向に向かって移動させずらい場合でも、開口部４を蓋体５によって容易に閉塞することができるため使い勝手が向上する。
【符号の説明】
【００２６】
１…筺体、４…開口部、５…蓋体、８…係合突起（第１の係合部）、１５…被係合片（第１の被係合部）、１７…被係合片（第２の被係合部）、１８…傾斜面、１９…係入片、２５…係合片（第２の係合部）、２６…爪部、２７…傾斜面、２９…ストッパ、３０…係入穴。
【図１】
2012059990.tif 000003
【図２】
2012059990.tif 000004
【図３】
2012059990.tif 000005
【図４】
2012059990.tif 000006
【図５】
2012059990.tif 000007
【図６】
2012059990.tif 000008